(57)【要約】      （修正有）【課題】靴内の細菌の繁殖を防止して、人が靴を履いた状態下で、室内に異臭が生じるのを防止するインソール構造を提供する。【解決手段】インソール構造であって、頂部に結合面を設置するインソール本体１０と、下から上に順番に、剥離紙２１、流延膜２２、第一高分子複合木材パルプ紙２３、吸收層部２４、第二高分子複合木材パルプ紙２５、芳香コットン紙２６、無塵紙２７、および、不織布２８が相対してなる高密度圧縮綿体を含む薄型コットン多吸収層２０と、からなり、強い吸収力を生成して、剥離紙底部が、インソール本体の結合面に結合固定されることを特徴とする。【選択図】図３
0003199694.tif 000002
【実用新案登録請求の範囲】
【請求項１】
インソール構造であって、
頂部に結合面を設置するインソール本体と、
下から上に順番に、剥離紙、流延膜、第一高分子複合木材パルプ紙、吸收層部、第二高分子複合木材パルプ紙、芳香コットン紙、無塵紙、および、不織布が相対してなる高密度圧縮綿体を含む薄型コットン多吸収層と、
からなり、強い吸収力を生成して、前記剥離紙底部が、前記インソール本体の結合面に結合固定されることを特徴とするインソール構造。
【請求項２】
前記多吸收層薄型コットンの前記剥離紙、前記流延膜、前記第一高分子複合木材パルプ紙、前記吸收層部、前記第二高分子複合木材パルプ紙、前記芳香コットン紙、前記無塵紙、および、前記不織布は、高周波により、各層体の周縁に圧合され、前記多吸収層薄型コットンの周縁は高周波圧合縁を生成して、互いに固定されることを特徴とする請求項1に記載のインソール構造。
【請求項３】
前記薄型コットン多吸収層と前記インソール本体の固定方式は、前記薄型コットン多吸収層の底部に粘着層を設置することにより、前記粘着層が、前記インソール本体の前記結合面に粘着固定されることを特徴とする請求項1に記載のインソール構造。
【請求項４】
前記薄型コットン多吸収層両側は、さらに、それぞれ、結合翼片を延設し、各前記結合翼片底面は粘着面を設置して、各前記結合翼片の前記粘着面が、前記インソール本体両側底面を包覆して、強化固定されることを特徴とする請求項２に記載のインソール構造。
【請求項５】
前記薄型コットン多吸収層と前記インソール本体の固定方式は、前記薄型コットン多吸収層と前記インソール本体の相対周縁位置を縫合することにより相互に固定されることを特徴とする請求項1に記載のインソール構造。
【請求項６】
前記薄型コットン多吸収層の外縁プロファイルは、インソールの外縁プロファイルと相同であることを特徴とする請求項1に記載のインソール構造。
【請求項７】
前記薄型コットン多吸収層の外縁プロファイルは、インソール本体外縁の単一局部ブロックより小さく、且つ、前記薄型コットン多吸収層底部は、粘着できる剥離結合ゲル膜を設置することを特徴とする請求項1に記載のインソール構造。
【請求項８】
前記薄型コットン多吸収層の芳香コットン紙は、竹パウダーを添加することを特徴とする請求項1に記載のインソール構造。
【考案の詳細な説明】
【技術分野】
【０００１】
本考案は、インソール構造に関するものであって、とくに、靴内の細菌の繁殖を防止して、人が靴を履いた状態下で、室内に異臭が生じるのを防止する新規構造に関するものである。
【背景技術】
【０００２】
長時間靴を履いていると、足部が蒸れ、発汗による異臭がしたり、足垢が出たりして、非常に不快である。特に、足の前端部分は汗が出やすい場所で、靴内の湿った環境によって、着用上の快適性が失われる。靴は毎日履くもので、歩きやすさを追及した商品は、足部をすっぽりと包むデザインである。医学によって証明されているように、足裏とインソールが長時間密着状態にあり、靴内の通風が悪く、足裏が分泌する汗が空気循環によって靴から排出されないので、足に異臭が生じる。
【考案の概要】
【考案が解決しようとする課題】
【０００３】
上述の問題を解決するため、本考案は、靴内の通風が悪く、汗が空気循環によって排出できずに、異臭が生じる問題を改善するインソール構造を提供することを目的とする。
【課題を解決するための手段】
【０００４】
本考案のインソールは、頂部に結合面を有するインソール本体と、下から上に順番に、剥離紙、流延膜、第一高分子複合木材パルプ紙、吸收層部、第二高分子複合木材パルプ紙、芳香コットン紙、無塵紙、および、不織布が相対してなる高密度圧縮綿体を含む薄型コットン多吸収層と、からなり、強い吸収力を生成して、剥離紙底部が、インソール本体の結合面に結合固定される。
【考案の効果】
【０００５】
この新規設計により、本考案のインソール構造の薄型コットン多吸収層の高密度多層圧縮綿体構造の設置により、足部が靴内で生じる汗、湿気や水虫の臭いが、速やかに、薄型コットン多吸収層に浸み込んで吸収され、且つ、本考案は、粘着式使い捨て設計で、一定時間使用後、交換でき、人体の足部分が靴体内でさらっと、そして、衛生的に履け、靴内の細菌の繁殖を防止して、人体の足部分が靴を履いた状態下で、室内に異臭を生じるのを防止する。
【図面の簡単な説明】
【０００６】
【図１】本考案による薄型コットン多吸収層とインソール本体が結合した立体図である。
【図２】本考案による薄型コットン多吸収層とインソール本体が分解した立体図である。
【図３】本考案による薄型コットン多吸収層の分解立体図である。
【図４】本考案による人体の足部分の靴着用時の断面図である。
【図５】図４のAの拡大図である。
【図６】本考案によるもうひとつの実施例の立体分解図である。
【図７】本考案によるもうひとつの実施例の組み合わせ立体図である。
【図８】本考案のさらにもうひとつの実施例の立体図である。
【図９】本考案のさらにもうひとつの実施例の分解立体図である。
【図１０】本考案のさらにもうひとつの実施例の組み合わせ立体図である。
【考案を実施するための形態】
【０００７】
図１〜図５は、本考案のインソール構造の好ましい実施例を説明する図であり、これらの実施例は説明のためのものであり、これに限定されない。本考案のインソール構造は、靴体３０、インソール本体１０、および、薄型コットン多吸収層２０から構成される。
靴体３０は一般の革靴、運動靴等で、靴体３０内部は人の足を入れる容置空間３１を有する。
インソール本体１０は、靴体３０の容置空間３１中に設置し、インソール本体１０頂部は結合面１１を有する。
薄型コットン多吸収層２０は、下から上に、順に、剥離紙２１、流延膜２２、第一高分子複合木材パルプ紙２３、吸収層部２４、第二高分子複合木材パルプ紙２５、芳香コットン紙２６、無塵紙２７、および、不織布２８を相対結合させてなる高密度圧縮綿体を含み、強い吸収力を生成し、剥離紙２１底部は、インソール本体１０の結合面１１に結合固定される。薄型コットン多吸収層２０の外縁プロファイルは、本実施例において、インソールの外縁プロファイルと同じである。多吸收層薄型コットンの各剥離紙２１、流延膜２２、第一高分子複合木材パルプ紙２３、吸収層部２４、第二高分子複合木材パルプ紙２５、芳香コットン紙２６、無塵紙２７、および、不織布２８は、本実施例において、高周波により前述の各層体の周縁に圧合され、多吸収層薄型コットンの周縁が高周波圧合縁２０１を生成して、互いに固定される。芳香コットン紙２６は竹パウダーを添加している。さらに、薄型コットン多吸収層２０とインソール本体１０の固定方式は、本実施例において、薄型コットン多吸収層２０の底部に粘着層２９を設置して、粘着層２９をインソール本体１０の結合面１１に固定している。
図６と図７は、本考案によるもうひとつの実施例を示す図で、靴体３０はハイヒールで、且つ、薄型コットン多吸収層２０の外縁プロファイルは、インソール本体１０外縁の単一局部ブロックより小さく、且つ、薄型コットン多吸収層２０底部に、粘着できる剥離結合ゲル膜２９１を設置して、使用者が、靴体３０のインソール頂部の任意位置に自身で粘着することができる。
図８は、本考案によるさらに別の実施例を示す図で、薄型コットン多吸収層２０とインソール本体１０の固定方式は、本実施例において、薄型コットン多吸収層２０とインソール本体１０の相対する周縁位置を縫合することにより、互いに固定される。
図９と図１０は、本考案によるもうひとつの実施例を示す図で、薄型コットン多吸収層２０両側は、さらに、それぞれ、結合翼片２０３を延設し、各結合翼片２０３底面は粘着面２０４を設置して、各結合翼片２０３の粘着面２０４が、インソール本体１０両側底面を包覆して、強化固定される。
本考案のインソール構造は、薄型コットン多吸収層２０の高密度多層圧縮綿体構造の設置により、足部が靴体３０内部で生成する汗、湿気や水虫の異臭を、快速に、薄型コットン多吸収層２０に浸み込ませて吸収し、且つ、本考案は、粘着式使い捨て設計で、一定時間使用後交換でき、靴体３０中での爽やかな履き心地、および、衛生的な空間を提供し、靴内の細菌の繁殖を防止して、靴体３０を履いた状況下で、室内に異臭を生じるのを防止する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１０ インソール本体              
１１ 結合面
２０ 薄型コットン多吸収層  
２１ 剥離紙
２２ 流延膜              
２３ 第一高分子複合木材パルプ紙
２４ 吸收層部              
２５ 第二高分子複合木材パルプ紙
２６ 芳香コットン紙            
２７ 無塵紙
２８ 不織布                
２９ 粘着層
３０  靴体                 
３１ 容置空間
２９１ 剥離結合ゲル膜        
２０１ 高周波圧合縁
２０２ 縫合縁              
２０３ 結合翼片
２０４ 粘着面              
【図１】
0003199694.tif 000003
【図２】
0003199694.tif 000004
【図３】
0003199694.tif 000005
【図４】
0003199694.tif 000006
【図５】
0003199694.tif 000007
【図６】
0003199694.tif 000008
【図７】
0003199694.tif 000009
【図８】
0003199694.tif 000010
【図９】
0003199694.tif 000011
【図１０】
0003199694.tif 000012